(57)【要約】【課題】画像形成装置のパフォーマンスの低下を未然に解決する。【解決手段】画像形成装置１００は、プロセッサー５Ａ、主記憶部５Ｂ、及び補助記憶部５Ｃを備える。画像形成装置１００は、筐体１０、検出部５０１、算出部５０２、温度センサーＳ１、及び取得部５０３を更に備える。筐体１０は、プロセッサー５Ａ、主記憶部５Ｂ、及び補助記憶部５Ｃを収容する。検出部５０１は、プロセッサー５Ａと主記憶部５Ｂとの間のデータ伝送におけるエラーを検出する。算出部５０２は、検出部５０１の検出結果に応じて、エラー発生率ＲＥを算出する。温度センサーＳ１は、筐体１０の内部の温度を検出する。取得部５０３は、検出部５０１の検出結果に応じて、温度センサーＳ１から温度情報ＭＴを取得する。補助記憶部５Ｃは、エラー発生率ＲＥを示す情報ＭＲと温度情報ＭＴとを含むエラー情報ＭＥを保持する。【選択図】図２
2018101834.tif 000002
【特許請求の範囲】
【請求項１】
中央処理装置、主記憶装置、及び補助記憶装置を備える画像形成装置であって、
前記中央処理装置、前記主記憶装置、及び前記補助記憶装置を収容する筐体と、
前記中央処理装置と前記主記憶装置との間のデータ伝送におけるエラーを検出する検出部と、
前記検出部の検出結果に応じて、エラー発生率を算出する算出部と、
前記筐体の内部又は外部の温度を検出する温度センサーと、
前記検出部の検出結果に応じて、前記温度センサーから温度情報を取得する取得部と
を備え、
前記主記憶装置、及び前記補助記憶装置の少なくとも一方は、前記エラー発生率を示す情報と前記温度情報とを含むエラー情報を保持する、画像形成装置。
【請求項２】
前記エラー情報を情報処理装置に送信する送信部を更に備える、請求項１に記載の画像形成装置。
【請求項３】
前記送信部は、実行中の処理が終了した後に、前記エラー情報を前記主記憶装置、又は前記補助記憶装置から読み出して、前記エラー情報を前記情報処理装置に送信する、請求項２に記載の画像形成装置。
【請求項４】
前記主記憶装置は、誤り検出機能を有し、
前記検出部は、前記誤り検出機能を用いて前記エラーを検出する、請求項１から請求項３のいずれか１項に記載の画像形成装置。
【請求項５】
前記筐体の内部又は外部の湿度を検出する湿度センサーを更に備え、
前記取得部は、前記検出部の検出結果に応じて、前記湿度センサーから湿度情報を取得し、
前記エラー情報は、前記湿度情報を更に含む、請求項１から請求項４のいずれか１項に記載の画像形成装置。
【請求項６】
前記取得部は、前記検出部の検出結果に応じて、前記エラーが発生した時に実行されていた処理の種類を示すステータス情報を取得し、
前記エラー情報は、前記ステータス情報を更に含む、請求項１から請求項５のいずれか１項に記載の画像形成装置。
【請求項７】
前記取得部は、前記検出部の検出結果に応じて、前記エラーが発生した時における前記画像形成装置と他の機器との接続状態を示す接続情報を取得し、
前記エラー情報は、前記接続情報を更に含む、請求項１から請求項６のいずれか１項に記載の画像形成装置。
【請求項８】
前記エラー発生率が所定値以上であるか否かを判定する判定部を更に備え、
前記主記憶装置、及び前記補助記憶装置の少なくとも一方は、前記エラー発生率が所定値以上であると前記判定部が判定した場合に、前記エラー情報を保持する、請求項１から請求項７のいずれか１項に記載の画像形成装置。
【請求項９】
画像形成装置と、情報処理装置とを備える画像形成システムであって、
前記画像形成装置は、
中央処理装置と、
主記憶装置と、
補助記憶装置と、
前記中央処理装置、前記主記憶装置、及び前記補助記憶装置を収容する筐体と、
前記中央処理装置と前記主記憶装置との間のデータ伝送におけるエラーを検出する検出部と、
前記検出部の検出結果に応じて、エラー発生率を算出する算出部と、
前記筐体の内部又は外部の温度を検出する温度センサーと、
前記検出部の検出結果に応じて、前記温度センサーから温度情報を取得する取得部と、
前記エラー発生率を示す情報と前記温度情報とを含むエラー情報を前記情報処理装置に送信する送信部と
を備える画像形成システム。
【発明の詳細な説明】
【技術分野】
【０００１】
本発明は、画像形成装置、及び画像形成システムに関する。
【背景技術】
【０００２】
特許文献１に記載のメモリーコントローラーは、メモリーシステム内のエラーを検出し、訂正する。具体的には、メモリーシステムは、複数のメモリー装置を有する複数のメモリーモジュールを含む。メモリーコントローラーは、１つのメモリーモジュールの障害が１つのメモリー装置の障害と一致する場合に、第１のＥＣＣ符号と第２のＥＣＣ符号とを使用して、エラーを訂正する。
【先行技術文献】
【特許文献】
【０００３】
【特許文献１】特表２０１０−５３１４９９号公報
【発明の概要】
【発明が解決しようとする課題】
【０００４】
しかしながら、特許文献１に記載のメモリーコントローラーでは、エラー訂正処理が継続的に発生する場合には、エラー訂正処理によってメモリーシステムのパフォーマンスが低下する可能性がある。その結果、メモリーコントローラーが画像形成装置に搭載される場合には、画像形成装置のパフォーマンスが低下する可能性がある。
【０００５】
本発明は、上記課題に鑑みてなされたものであり、パフォーマンスの低下を未然に解決可能な画像処理装置、及び画像形成システムを提供することを目的としている。
【課題を解決するための手段】
【０００６】
本発明の画像形成装置は、中央処理装置、主記憶装置、及び補助記憶装置を備える。前記画像形成装置は、筐体、検出部、算出部、温度センサー、及び取得部を更に備える。前記筐体は、前記中央処理装置、前記主記憶装置、及び前記補助記憶装置を収容する。前記検出部は、前記中央処理装置と前記主記憶装置との間のデータ伝送におけるエラーを検出する。前記算出部は、前記検出部の検出結果に応じて、エラー発生率を算出する。前記温度センサーは、前記筐体の内部又は外部の温度を検出する。前記取得部は、前記検出部の検出結果に応じて、前記温度センサーから温度情報を取得する。前記主記憶装置、及び前記補助記憶装置の少なくとも一方は、前記エラー発生率を示す情報と前記温度情報とを含むエラー情報を保持する。
【０００７】
本発明の画像形成システムは、画像形成装置と、情報処理装置とを備える。前記画像形成装置は、中央処理装置、主記憶装置、補助記憶装置、筐体、検出部、算出部、温度センサー、取得部、及び送信部を備える。前記筐体は、前記中央処理装置、前記主記憶装置、及び前記補助記憶装置を収容する。前記検出部は、前記中央処理装置と前記主記憶装置との間のデータ伝送におけるエラーを検出する。前記算出部は、前記検出部の検出結果に応じて、エラー発生率を算出する。前記温度センサーは、前記筐体の内部又は外部の温度を検出する。前記取得部は、前記検出部の検出結果に応じて、前記温度センサーから温度情報を取得する。前記送信部は、前記エラー発生率を示す情報と前記温度情報とを含むエラー情報を前記情報処理装置に送信する。
【発明の効果】
【０００８】
本発明の画像形成装置、及び画像形成システムによれば、画像形成装置のパフォーマンスの低下を未然に解決できる。
【図面の簡単な説明】
【０００９】
【図１】本発明の実施形態に係る画像形成装置の構成を示す図である。
【図２】本発明の実施形態に係る制御部の構成を示す図である。
【図３】制御部の処理を示すフローチャートである。
【図４】制御部の処理を示すフローチャートである。
【発明を実施するための形態】
【００１０】
以下、本発明の実施形態について、図面（図１〜図４）を参照しながら説明する。なお、図中、同一又は相当部分については同一の参照符号を付して説明を繰り返さない。
【００１１】
まず、図１を参照して、本発明の実施形態に係る画像形成装置１００の構成について説明する。図１は、画像形成装置１００の構成を示す図である。図１に示すように、画像形成装置１００は複合機である。画像形成装置１００は、画像形成ユニット１、画像読取ユニット２、原稿搬送ユニット３、操作表示部４、及び制御部５を備える。
【００１２】
画像形成ユニット１は、記録媒体の一例である用紙Ｐに画像を形成する。画像読取ユニット２は、原稿Ｒに形成された画像を読み取る。原稿搬送ユニット３は、原稿Ｒを画像読取ユニット２に搬送する。操作表示部４は、ユーザーからの操作を受け付けると共に、種々の情報を表示する。制御部５は、画像形成装置１００の動作を制御する。
【００１３】
また、画像形成ユニット１は、筐体１０、給送カセット１１、画像形成部１３、温度センサーＳ１、及び湿度センサーＳ２を備える。
【００１４】
筐体１０は、制御部５、給送カセット１１、画像形成部１３、温度センサーＳ１、及び湿度センサーＳ２を収容する。
【００１５】
給送カセット１１から繰り出された用紙Ｐは、画像形成部１３まで搬送される。画像形成部１３は、用紙Ｐに画像を形成する。画像が形成された用紙Ｐは、用紙Ｐに形成された画像が用紙Ｐに定着された後、排出される。
【００１６】
操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。タッチパネル４１は、タッチセンサーを更に備え、ユーザーの操作を受け付ける。
【００１７】
制御部５は、プロセッサー５Ａ、主記憶部５Ｂ、及び補助記憶部５Ｃを備える。プロセッサー５Ａは、例えばＣＰＵ（Ｃｅｎｔｒａｌ  Ｐｒｏｃｅｓｓｉｎｇ  Ｕｎｉｔ）を備える。主記憶部５Ｂは、例えば半導体メモリーのようなメモリーを備える。また、主記憶部５Ｂは、誤り検出機能を有する。「誤り検出機能」は、プロセッサー５Ａと主記憶部５Ｂとの間のデータ伝送におけるエラーを検出する機能を示す。補助記憶部５Ｃは、例えばＨＤＤ（Ｈａｒｄ  Ｄｉｓｋ  Ｄｒｉｖｅ）を備える。本発明オブジェクトの実施形態において、「エラー」とは、いわゆる、「符号誤り」を示す。
【００１８】
主記憶部５Ｂは、制御プログラムを記憶している。プロセッサー５Ａは、制御プログラムを実行することによって各種機能部として機能する。プロセッサー５Ａは、「中央処理装置」に相当する。主記憶部５Ｂは、「主記憶装置」に相当する。補助記憶部５Ｃは、「補助記憶装置」に相当する。
【００１９】
温度センサーＳ１は、筐体１０の内部の温度ＴＰを検出する。具体的には、温度センサーＳ１は、制御部５の近傍に配置され、制御部５の近傍の温度ＴＰを検出する。温度センサーＳ１は、例えば、サーミスターである。温度センサーＳ１は、検出信号を制御部５へ出力する。
【００２０】
湿度センサーＳ２は、筐体１０の内部の湿度ＨＵを検出する。具体的には、湿度センサーＳ２は、制御部５の近傍に配置され、制御部５の近傍の湿度ＨＵを検出する。湿度センサーＳ２は、例えば、抵抗変化型湿度センサーである。湿度センサーＳ２は、検出信号を制御部５へ出力する。
【００２１】
次に、図１〜図２を参照して、本発明の実施形態に係る制御部５の構成について説明する。図２は、制御部５の構成を示す図である。図２に示すように、制御部５は、検出部５０１、算出部５０２、取得部５０３、書込部５０４、判定部５０５、及び送信部５０６を備える。具体的には、プロセッサー５Ａが、制御プログラムを実行することによって、検出部５０１、算出部５０２、取得部５０３、書込部５０４、判定部５０５、及び送信部５０６として機能する。また、画像形成装置１００は、パーソナルコンピューター２００と通信可能に接続されている。パーソナルコンピューター２００は、「情報処理装置」の一例に相当する。
【００２２】
検出部５０１は、プロセッサー５Ａと主記憶部５Ｂとの間のデータ伝送におけるエラーを検出する。具体的には、検出部５０１は、主記憶部５Ｂの誤り検出機能を用いてエラーを検出する。
【００２３】
算出部５０２は、検出部５０１の検出結果に応じて、エラー発生率ＲＥを算出する。具体的には、検出部５０１がエラーを検出した場合に、算出部５０２はエラー発生率ＲＥを算出する。エラー発生率ＲＥは、次の式（１）で規定される。
エラー発生率ＲＥ＝（エラー発生ビット数）／（データビット数）
×１００          （１）
ここで、「エラー発生ビット数」は、プロセッサー５Ａと主記憶部５Ｂとの間のデータ伝送においてエラーが発生したビット数を示す。「データビット数」は、プロセッサー５Ａと主記憶部５Ｂとの間で伝送されたデータのビット数を示す。
【００２４】
取得部５０３は、検出部５０１の検出結果に応じて、温度センサーＳ１から温度情報ＭＴを取得する。温度情報ＭＴは、温度ＴＰを示す。具体的には、検出部５０１がエラーを検出した場合に、取得部５０３は温度センサーＳ１から温度情報ＭＴを取得する。また、検出部５０１がエラーを検出した場合に、取得部５０３は湿度センサーＳ２から湿度情報ＭＨを取得する。湿度情報ＭＨは、湿度ＨＵを示す。
【００２５】
書込部５０４は、エラー情報ＭＥを補助記憶部５Ｃに書き込む。エラー情報ＭＥは、エラー発生率ＲＥを示す情報ＭＲ、温度情報ＭＴ、湿度情報ＭＨを含む。
【００２６】
判定部５０５は、エラー発生率ＲＥが所定値ＲＥＡ以上であるか否かを判定する。
【００２７】
送信部５０６は、エラー情報ＭＥを補助記憶部５Ｃから読み出して、エラー情報ＭＥをパーソナルコンピューター２００に送信する。
【００２８】
以上、図１及び図２を参照して説明したように、本発明の実施形態では、検出部５０１がエラーを検出した場合に、エラー発生率ＲＥを算出する。また、検出部５０１がエラーを検出した場合に、温度センサーＳ１から温度情報ＭＴを取得し、温度情報ＭＴとエラー発生率ＲＥを示す情報ＭＲとを含むエラー情報ＭＥを補助記憶部５Ｃが保持する。よって、プロセッサー５Ａと主記憶部５Ｂとのデータ伝送における温度ＴＰに起因する問題点を早期に発見できる。したがって、制御部５のパフォーマンスの低下を未然に解決できる。その結果、画像形成装置１００のパフォーマンスの低下を未然に解決できる。
【００２９】
また、パーソナルコンピューター２００にエラー情報ＭＥを送信するため、パーソナルコンピューター２００において、プロセッサー５Ａと主記憶部５Ｂとのデータ伝送における温度ＴＰに起因する問題点を解析できる。
【００３０】
また、検出部５０１がエラーを検出した場合に、エラー発生率ＲＥを算出する。また、検出部５０１がエラーを検出した場合に、温度センサーＳ１から温度情報ＭＴを取得し、エラー発生率ＲＥを示す情報ＭＲと温度情報ＭＴとを含むエラー情報ＭＥをパーソナルコンピューター２００に送信する。よって、パーソナルコンピューター２００を用いてエラー情報ＭＥを解析することによって、プロセッサー５Ａと主記憶部５Ｂとのデータ伝送における温度ＴＰに起因する問題点を早期に発見できる。したがって、制御部５のパフォーマンスの低下を未然に解決できる。その結果、画像形成装置１００のパフォーマンスの低下を未然に解決できる。
【００３１】
更に、検出部５０１がエラーを検出した場合に、湿度センサーＳ２から湿度情報ＭＨを取得し、エラー情報ＭＥは、湿度情報ＭＨを更に含む。よって、プロセッサー５Ａと主記憶部５Ｂとのデータ伝送における湿度ＨＵに起因する問題点を早期に発見できる。したがって、制御部５のパフォーマンスの低下を未然に解決できる。
【００３２】
また、主記憶部５Ｂは、誤り検出機能を有し、検出部５０１は、誤り検出機能を用いてエラーを検出する。したがって、検出部５０１は容易にエラーを検出できる。
【００３３】
図１及び図２を参照して説明したように、本発明の実施形態では、書込部５０４が、エラー情報ＭＥを補助記憶部５Ｃに書き込むが、本発明はこれに限定されない。書込部５０４が、少なくとも所定の条件を満たすエラー情報ＭＥを補助記憶部５Ｃに書き込めばよい。例えば、書込部５０４が、エラー発生率ＲＥが所定値ＲＥＡ以上である場合に、書込部５０４がエラー情報ＭＥを補助記憶部５Ｃに書き込む形態でもよい。この形態では、補助記憶部５Ｃに書き込むエラー情報ＭＥを削減できる。したがって、制御部５の負荷を低減できる。
【００３４】
次に、図１〜図４を参照して、制御部５の処理について説明する。図３及び図４は、制御部５の処理を示すフローチャートである。
【００３５】
図３に示すように、まず、ステップＳ１０１において、検出部５０１がプロセッサー５Ａと主記憶部５Ｂとの間のデータ伝送におけるエラーを検出したか否かを判定する。
エラーを検出していないと検出部５０１が判定した場合（ステップＳ１０１でＮＯ）には、処理が待機状態になる。エラーを検出したと検出部５０１が判定した場合（ステップＳ１０１でＹＥＳ）には、処理がステップＳ１０３に進む。
そして、ステップＳ１０３において、算出部５０２が、エラー発生率ＲＥを算出する。
次に、ステップＳ１０５において、取得部５０３が、温度センサーＳ１から温度情報ＭＴを取得する。
次に、ステップＳ１０７において、取得部５０３が、湿度センサーＳ２から湿度情報ＭＨを取得する。
次に、ステップＳ１０９において、取得部５０３が、ステータス情報ＭＳを取得する。「ステータス情報ＭＳ」は、エラーが発生した時に制御部５が実行していた処理の種類を示す。
次に、ステップＳ１１１において、取得部５０３が、接続情報ＭＣを取得する。「接続情報ＭＣ」は、エラーが発生した時における画像形成装置１００と他の機器との接続状態を示す。「他の機器」とは、例えば、画像形成装置１００とネットワークを介して接続されたサーバー装置、パーソナルコンピューター、又は画像形成装置１００とは別の画像形成装置のような機器である。
【００３６】
次に、ステップＳ１１３において、書込部５０４が、エラー情報ＭＥを補助記憶部５Ｃに書き込む。
次に、図４に示すように、ステップＳ１１５において、判定部５０５が、エラー発生率ＲＥが所定値ＲＥＡ以上であるか否かを判定する。
エラー発生率ＲＥが所定値ＲＥＡ以上ではないと判定部５０５が判定した場合（ステップＳ１１５でＮＯ）には、処理が図３のステップＳ１０１へリターンする。エラー発生率ＲＥが所定値ＲＥＡ以上であると判定部５０５が判定した場合（ステップＳ１１５でＹＥＳ）には、処理がステップＳ１１７に進む。
そして、ステップＳ１１７において、制御部５が実行中の処理が終了したか否かを送信部５０６が判定する。
実行中の処理が終了していないと送信部５０６が判定した場合（ステップＳ１１７でＮＯ）には、処理が待機状態になる。実行中の処理が終了したと送信部５０６が判定した場合（ステップＳ１１７でＹＥＳ）には、処理がステップＳ１１９に進む。
そして、ステップＳ１１９において、送信部５０６がエラー情報ＭＥを補助記憶部５Ｃから読み出す。
次に、ステップＳ１２１において、送信部５０６がエラー情報ＭＥをパーソナルコンピューター２００に送信し、処理が図３のステップＳ１０１へリターンする。
【００３７】
以上、図１〜図４を参照して説明したように、本発明の実施形態では、制御部５が実行中の処理が終了した後に、送信部５０６がエラー情報ＭＥを補助記憶部５Ｃから読み出して、送信部５０６がエラー情報ＭＥをパーソナルコンピューター２００に送信する。したがって、制御部５が実行中の処理が終了した後に、送信部５０６がエラー情報ＭＥをパーソナルコンピューター２００に送信するため、エラー情報ＭＥを送信する処理による実行中の処理への影響を抑制できる。
【００３８】
また、検出部５０１がエラーを検出した場合に、エラーが発生した時に実行されていた処理の種類を示すステータス情報ＭＳを取得部５０３が取得する。エラー情報ＭＥはステータス情報ＭＳを更に含む。よって、プロセッサー５Ａと主記憶部５Ｂとのデータ伝送におけるステータス（エラーが発生した時に実行されていた処理の種類）に起因する問題点を早期に発見できる。したがって、制御部５のパフォーマンスの低下を未然に解決できる。
【００３９】
更に、検出部５０１がエラーを検出した場合に、他の機器との接続状態を示す接続情報ＭＣを取得部５０３が取得する。エラー情報ＭＥは接続情報ＭＣを更に含む。よって、プロセッサー５Ａと主記憶部５Ｂとのデータ伝送における接続状態に起因する問題点を早期に発見できる。したがって、制御部５のパフォーマンスの低下を未然に解決できる。
【００４０】
また、エラー発生率ＲＥが所定値ＲＥＡ以上である場合に、送信部５０６がエラー情報ＭＥをパーソナルコンピューター２００に送信する。よって、エラー情報ＭＥをパーソナルコンピューター２００に送信する頻度を低減できる。したがって、制御部５の負荷を低減できる。
【００４１】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００４２】
（１）図１を参照して説明したように、本発明の実施形態では、温度センサーＳ１が筐体１０の内部の温度ＴＰを検出するが、本発明はこれに限定されない。温度センサーが筐体１０の内部又は外部の温度を検出すればよい。例えば、温度センサーが筐体１０の外部の温度を検出する形態でもよい。
【００４３】
（２）図１を参照して説明したように、本発明の実施形態では、湿度センサーＳ２が筐体１０の内部の湿度ＨＵを検出するが、本発明はこれに限定されない。湿度センサーが筐体１０の内部又は外部の湿度を検出すればよい。例えば、湿度センサーが筐体１０の外部の湿度を検出する形態でもよい。
【００４４】
（３）図１〜図４を参照して説明したように、本発明の実施形態では、エラー情報ＭＥが、エラー発生率ＲＥを示す情報ＭＲ、温度情報ＭＴ、湿度情報ＭＨ、ステータス情報ＭＳ、及び接続情報ＭＣを含むが、本発明はこれに限定されない。エラー情報ＭＥが、エラー発生率ＲＥを示す情報ＭＲ、及び温度情報ＭＴを含めばよい。例えば、エラー情報ＭＥが、エラー発生率ＲＥを示す情報ＭＲと、温度情報ＭＴとから構成されている形態でもよい。
【００４５】
（４）図１〜図４を参照して説明したように、本発明の実施形態では、「情報処理装置」が、画像形成装置１００と通信可能に接続されたパーソナルコンピューター２００であるが、本発明はこれに限定されない。「情報処理装置」が画像形成装置１００と通信可能に接続されていればよい。例えば、「情報処理装置」が画像形成装置１００と通信可能に接続されたサーバー装置である形態でもよい。この形態では、サーバー装置が複数台の画像形成装置１００からエラー情報ＭＥを受信することによって、プロセッサー５Ａと主記憶部５Ｂとのデータ伝送における問題点を更に早期に発見できる。
【００４６】
（５）図１〜図４を参照して説明したように、本発明の実施形態では、補助記憶部５Ｃがエラー情報ＭＥを保持するが、本発明はこれに限定されない。主記憶部５Ｂ及び補助記憶部５Ｃの少なくとも一方がエラー情報ＭＥを保持すればよい。例えば、主記憶部５Ｂがエラー情報ＭＥを保持する形態でもよい。
【産業上の利用可能性】
【００４７】
本発明は、画像形成装置、及び画像形成システムに関するものであり、産業上の利用可能性を有する。
【符号の説明】
【００４８】
１００    画像形成装置
１    画像形成ユニット
１３    画像形成部
２    画像読取ユニット
３    原稿搬送ユニット
５    制御部
５Ａ    プロセッサー（主制御装置）
５Ｂ    主記憶部（主記憶装置）
５Ｃ    補助記憶部（補助記憶装置）
５０１    検出部
５０２    算出部
５０３    取得部
５０４    書込部
５０５    判定部
５０６    送信部
２００    パーソナルコンピューター（情報処理装置）
Ｓ１    温度センサー
Ｓ２    湿度センサー
【図１】
2018101834.tif 000003
【図２】
2018101834.tif 000004
【図３】
2018101834.tif 000005
【図４】
2018101834.tif 000006